【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
患者の組織部位を治療するための減圧治療システムであって、前記減圧治療システムが、
前記組織部位の近傍に配置するためのマニホールドパッドを具え、前記マニホールドパッドが、
マニホールド部材と、
前記マニホールド部材に連結したヒドロゲルリザーバ部材とを具え、前記ヒドロゲルリザーバ部材が第１の圧力で前記組織部位から流体を受け入れ貯蔵するよう適合されており、かつ第２の圧力で前記流体の少なくとも一部を放出するよう適合されており、前記第１の圧力が絶対圧力のスケールで前記第２の圧力より大きく、
前記組織部位と前記マニホールドパッドの上に配置するためのシーリングドレープであって、流体シールを形成するよう適合されたシーリングドレープと、
前記マニホールドパッドに減圧を伝達するための減圧サブシステムとを具えることを特徴とするシステム。
【請求項２】
請求項１に記載の減圧治療システムにおいて、前記第１の圧力が実質的に大気圧であることを特徴とするシステム。
【請求項３】
請求項１に記載の減圧治療システムにおいて、前記第１の圧力が前記組織部位の近傍の静水圧であることを特徴とするシステム。
【請求項４】
請求項１に記載の減圧治療システムにおいて、前記ヒドロゲルリザーバ部材が前記第２の圧力の影響下で貯蔵した流体の２０％ないし８０％を放出するよう適合されていることを特徴とするシステム。
【請求項５】
請求項１に記載の減圧治療システムにおいて、前記ヒドロゲルリザーバ部材が前記マニホールド部材の少なくとも一部に適用されたヒドロゲルコーティングであることを特徴とするシステム。
【請求項６】
請求項１に記載の減圧治療システムにおいて、前記ヒドロゲルリザーバ部材が前記マニホールド部材の中に配置された複数のヒドロゲルビーズを含むことを特徴とするシステム。
【請求項７】
請求項１に記載の減圧治療システムにおいて、前記ヒドロゲルリザーバ部材が前記マニホールド部材に隣接して配置されたヒドロゲルシートを含むことを特徴とするシステム。
【請求項８】
請求項７に記載の減圧治療システムにおいて、前記ヒドロゲルシートに少なくとも１つの開口部が形成され、前記少なくとも１つの開口部の直径が１ｍｍないし１０ｍｍであることを特徴とするシステム。
【請求項９】
請求項７に記載の減圧治療システムにおいて、前記ヒドロゲルシートが複数の開口部を具えることを特徴とするシステム。
【請求項１０】
請求項７に記載の減圧治療システムがさらに、前記ヒドロゲルシートに隣接して配置されたウィッキング層を具え、前記ヒドロゲルシートが前記ウィッキング層と前記マニホールド部材との間に配置されていることを特徴とするシステム。
【請求項１１】
請求項１に記載の減圧治療システムにおいて、前記ヒドロゲルリザーバ部材がヒドロゲルイオンを具えることを特徴とするシステム。
【請求項１２】
患者の組織部位を治療するためのマニホールドパッドであって、前記マニホールドパッドが、
減圧を分散するよう適合されたマニホールド部材と、
前記マニホールド部材に連結されたヒドロゲルリザーバ部材とを具え、
前記ヒドロゲルリザーバ部材が第１の圧力で前記組織部位から流体を受け入れ貯蔵するよう適合されており、かつ第２の圧力で前記流体の少なくとも一部を放出するよう適合されており、前記第１の圧力が絶対圧力のスケールで前記第２の圧力より大きいことを特徴とするマニホールドパッド。
【請求項１３】
請求項１２に記載のマニホールドパッドにおいて、前記マニホールド部材が複数の相互接続した支柱を有する発泡体を含み、前記ヒドロゲルリザーバ部材がヒドロゲルコーティングを具え、前記複数の相互接続した支柱の少なくとも一部が前記ヒドロゲルコーティングで少なくとも部分的にコーティングされていることを特徴とするマニホールドパッド。
【請求項１４】
請求項１２に記載のマニホールドパッドにおいて、前記ヒドロゲルリザーバ部材がヒドロゲルイオンであることを特徴とするマニホールドパッド。
【請求項１５】
請求項１２に記載のマニホールドパッドにおいて、前記ヒドロゲルリザーバ部材が減圧の影響下で吸収した流体の２０％ないし８０％を放出するよう適合されていることを特徴とするマニホールドパッド。
【請求項１６】
請求項１２に記載のマニホールドパッドにおいて、前記ヒドロゲルリザーバ部材が複数のヒドロゲルビーズを含み、前記複数のヒドロゲルビーズが前記マニホールド部材の中に配置されていることを特徴とするマニホールドパッド。
【請求項１７】
請求項１２に記載のマニホールドパッドにおいて、
前記マニホールド部材が中央部分と外縁部分とを具え、
第１の複数のヒドロゲルビーズが前記中央部分の中に配置されており、
第２の複数のヒドロゲルビーズが前記外縁部分の中に配置されており、前記第２の複数のヒドロゲルビーズが前記第１の複数のヒドロゲルビーズより多いことを特徴とするマニホールドパッド。
【請求項１８】
請求項１２に記載のマニホールドパッドにおいて、
前記マニホールド部材が中央部分と外縁部分とを具え、
複数のヒドロゲルビーズが前記中央部分の中と前記外縁部分の中とに配置されており、
前記外縁部分の中に配置された前記ヒドロゲルビーズの各々の第１の直径が前記中央部分の中に配置された前記ヒドロゲルビーズの第２の直径より大きいことを特徴とするマニホールドパッド。
【請求項１９】
請求項１７に記載のマニホールドパッドにおいて、前記複数のヒドロゲルビーズの各々の断面が円形であることを特徴とするマニホールドパッド。
【請求項２０】
請求項１７に記載のマニホールドパッドにおいて、前記マニホールド部材が高さ（ｈ１）と、組織対向面と、第１の面とを有し、前記複数のヒドロゲルビーズが前記マニホールド部材の第１の面からｈ１の３分の１（１／３）の中に配置されていることを特徴とするマニホールドパッド。
【請求項２１】
請求項１２に記載のマニホールドパッドにおいて、前記ヒドロゲルリザーバ部材が、
第１の複数の開口部を有する中央部分と、
ほぼ外縁部分に配置された第２の複数の開口部を有する外縁部分とを具えたヒドロゲルシートを具えることを特徴とするマニホールドパッド。
【請求項２２】
請求項２１に記載のマニホールドパッドにおいて、前記第１の複数の開口部が第１の直径を有し、前記第２の複数の開口部が第２の直径を有し、前記第１の直径が前記第２の直径より小さいことを特徴とするマニホールドパッド。
【請求項２３】
患者の組織部位を治療するためのマニホールドパッドの製造方法であって、前記方法が、
マニホールド部材を形成するステップと、
前記マニホールド部材にヒドロゲルリザーバ部材を連結するステップとを具え、前記ヒドロゲルリザーバ部材が第１の圧力で前記組織部位から流体を受け入れ貯蔵するよう適合されており、かつ第２の圧力で流体の少なくとも一部を放出するよう適合されており、前記第１の圧力が絶対圧力スケールで前記第２の圧力より大きいことを特徴とする方法。
【請求項２４】
請求項２３に記載のマニホールドパッドの製造方法において、前記マニホールド部材を形成するステップが複数の相互接続した支柱によりマニホールド部材を形成するステップを具え、前記マニホールド部材にヒドロゲルリザーバ部材を連結するステップが複数の相互接続した支柱の少なくとも一部をヒドロゲルでコーティングするステップを具えることを特徴とする方法。
【請求項２５】
請求項２３に記載のマニホールドパッドの製造方法において、前記マニホールド部材にヒドロゲルリザーバ部材を連結するステップが前記マニホールド部材の中に複数のヒドロゲルビーズを注入するステップを具えることを特徴とする方法。
【請求項２６】
請求項２５に記載のマニホールドパッドの製造方法において、前記マニホールド部材が中央部分と外縁部分とを具え、前記複数のヒドロゲルビーズを注入するステップが前記中央部分の中に第１の複数のヒドロゲルビーズを注入し、前記外縁部分の中に第２の複数のヒドロゲルビーズを注入するステップを具えることを特徴とする方法。
【請求項２７】
請求項２６に記載のマニホールドパッドの製造方法において、前記外縁部分の中に注入された第１の複数のヒドロゲルビーズが前記中央部分の中に注入された第２の複数のヒドロゲルビーズより多いことを特徴とする方法。
【請求項２８】
請求項２６に記載のマニホールドパッドの製造方法において、前記外縁部分の中に注入された前記ヒドロゲルビーズの各々の第１の直径が前記中央部分の中に注入された前記ヒドロゲルビーズの各々の第２の直径より大きいことを特徴とする方法。
【請求項２９】
請求項２５に記載のマニホールドパッドの製造方法において、前記複数のヒドロゲルビーズの各々の断面が円形であることを特徴とする方法。
【請求項３０】
請求項２５に記載のマニホールドパッドの製造方法において、前記複数のヒドロゲルビーズの各々が涙形であることを特徴とする方法。
【請求項３１】
請求項２３に記載のマニホールドパッドの製造方法において、前記マニホールド部材にヒドロゲルリザーバ部材を連結するステップが中央部分と外縁部分とを有するシートをヒドロゲル材料で形成するステップと、前記シートの中央部分に少なくとも１つの開口部を形成するステップと、前記外縁部分に少なくとも１つの開口部の形成するステップと、前記シートを前記マニホールド部材に隣接して配置するステップとを具えることを特徴とする方法。
【請求項３２】
請求項３１に記載のマニホールドパッドの製造方法において、前記中央部分に形成された少なくとも１つの開口部の直径が前記外縁部分に形成された少なくとも１つの開口部の直径より小さいことを特徴とする方法。
【請求項３３】
患者の組織部位を治療するためのマニホールドパッドであって、前記マニホールドパッドが、
第１の材料を含むマニホールド部材と、
第２の材料を含むヒドロゲルリザーバ部材とを具え、
前記第１の材料と前記第２の材料が異なる材料であり、
前記ヒドロゲルリザーバ部材が前記マニホールド部材に連結され、
前記第２の材料が、第１の圧力で前記組織部位から液体を受け入れ保持するよう適合され、かつ第２の圧力で前記液体の実質的な部分を放出するよう適合された高吸収性ポリマーであることを特徴とするマニホールドパッド。
【請求項３４】
請求項３３に記載のマニホールドパッドにおいて、前記第１の材料が多孔質ポリマー発泡体であり、第２の材料が親水性架橋ポリマーあることを特徴とするマニホールドパッド。